(57)【特許請求の範囲】
【請求項１】
フレーム間における所定の画素の移動方向を把握する移動方向把握手段と、
前記移動方向把握手段によって把握された移動方向に基づき、当該移動方向の移動元の側または移動先の側のエッジをより強調するように、エッジ強調処理を行うエッジ強調手段と、
を含むことを特徴とする画像処理システム。
【請求項２】
請求項１において、
前記エッジ強調手段は、
所定フレームにおける処理対象画素の輝度と、当該処理対象画素の近隣にある近隣画素の輝度との差異を把握する手段と、
把握された差異を示す情報と、前記移動方向を示す情報とに基づき、前記処理対象画素の輝度を補正する手段と、
補正された処理対象画素の輝度と、前記所定フレームの次のフレームにおける前記処理対象画素の輝度とに基づき、前記画像を表示する液晶表示手段の駆動電圧を制御する手段と、
を含むことを特徴とする画像処理システム。
【請求項３】
請求項１において、
前記エッジ強調手段は、
所定フレームにおける処理対象画素の輝度と、前記所定フレームの次のフレームにおける前記処理対象画素の輝度との差分を求める差分処理手段と、
前記所定フレームにおける処理対象画素の輝度と、当該処理対象画素の近隣にある近隣画素の輝度との差異を把握する手段と、
当該差異を示す情報と、前記移動方向を示す情報とに基づき、前記差分を示す差分情報を補正する手段と、
補正された前記差分情報と、前記所定フレームにおける処理対象画素の輝度とに基づき、前記画像を表示する液晶表示手段の駆動電圧を制御する手段と、
を含むことを特徴とする画像処理システム。
【請求項４】
請求項１〜３のいずれかの画像処理システムを有することを特徴とする画像表示装置。
【請求項５】
コンピュータにより読み取り可能なプログラムであって、
フレーム間における所定の画素の移動方向を把握する移動方向把握手段と、
前記移動方向把握手段によって把握された移動方向に基づき、当該移動方向の移動元の側または移動先の側のエッジをより強調するように、エッジ強調処理を行うエッジ強調手段としてコンピュータを機能させることを特徴とするプログラム。
【請求項６】
請求項５において、
前記エッジ強調手段は、
所定フレームにおける処理対象画素の輝度と、当該処理対象画素の近隣にある近隣画素の輝度との差異を把握する手段と、
把握された差異を示す情報と、前記移動方向を示す情報とに基づき、前記処理対象画素の輝度を補正する手段と、
補正された処理対象画素の輝度と、前記所定フレームの次のフレームにおける前記処理対象画素の輝度とに基づき、前記画像を表示する液晶表示手段の駆動電圧を制御する手段と、
を含むことを特徴とするプログラム。
【請求項７】
請求項５において、
前記エッジ強調手段は、
所定フレームにおける処理対象画素の輝度と、前記所定フレームの次のフレームにおける前記処理対象画素の輝度との差分を求める差分処理手段と、
前記所定フレームにおける処理対象画素の輝度と、当該処理対象画素の近隣にある近隣画素の輝度との差異を把握する手段と、
当該差異を示す情報と、前記移動方向を示す情報とに基づき、前記差分を示す差分情報を補正する手段と、
補正された前記差分情報と、前記所定フレームにおける処理対象画素の輝度とに基づき、前記画像を表示する液晶表示手段の駆動電圧を制御する手段と、
を含むことを特徴とするプログラム。
【請求項８】
コンピュータにより読み取り可能な情報記憶媒体であって、
請求項５〜７のいずれかのプログラムを記憶したことを特徴とする情報記憶媒体。
【請求項９】
動画像のエッジ強調処理を行う画像処理手段による画像処理方法において、
所定の画素の移動方向を把握する移動方向把握工程と、
前記移動方向把握工程において把握された移動方向に基づき、当該移動方向の移動元の側または移動先の側のエッジをより強調するように、前記エッジ強調処理を行うエッジ強調工程と、
を含むことを特徴とする画像処理方法。
【請求項１０】
動画像のエッジ強調処理を行う画像処理手段による画像処理方法において、
所定の画素の移動方向を把握する移動方向把握工程と、
時間軸における輝度変化を把握する輝度変化把握工程と、
前記移動方向把握工程において把握された移動方向に基づき、当該移動方向の移動元の側または移動先の側のエッジをより強調するように、前記輝度変化把握工程において把握された輝度変化を示す情報に対してエッジ強調処理を行うエッジ強調工程と、
を含むことを特徴とする画像処理方法。
【発明の詳細な説明】
【０００１】
【発明の属する技術分野】
本発明は、エッジ強調処理に用いられる画像処理システム、画像表示装置、プログラム、情報記憶媒体および画像処理方法に関する。
【０００２】
【背景技術および発明が解決しようとする課題】
例えば、液晶表示装置が、黒色の背景画像に白色画像を表示し、当該白色画像を画面内で移動させた場合、移動によって白色から黒色に変化する部分が、白色から黒色に変化するのではなく、グラデーションのようになだらかに変化してしまい、動体部分に本来ない輝度ムラが知覚される場合がある。
【０００３】
このような問題を解決するため、画像のエッジ部分を表示する際に液晶の駆動電圧をより高める（またはより低下させる）ことにより、いわゆるぼけ（blur）を低減し、よりメリハリのある画像を表示する手法が提案されている。
【０００４】
しかし、従来の手法では、電圧の高低の両側または白黒の両側に対してエッジ強調処理がなされていたため、エッジ部分が強調されすぎてしまい、例えば、エッジ部分が太くなるなどの本来の画像とは異なる画像が表示されてしまう場合があった。
【０００５】
本発明は、上記の課題に鑑みなされたものであり、その目的は、エッジ強調処理を行う場合に、過度のエッジ強調を防止することの可能な画像処理システム、画像表示装置、プログラム、情報記憶媒体および画像処理方法を提供することにある。
【０００６】
【課題を解決するための手段】
上記課題を解決するため、本発明に係る画像処理システムは、フレーム間における所定の画素の移動方向を把握する移動方向把握手段と、
前記移動方向把握手段によって把握された移動方向に基づき、当該移動方向と所定の位置関係にある側のエッジをより強調するように、エッジ強調処理を行うエッジ強調手段と、
を含むことを特徴とする。
【０００７】
また、本発明に係る画像表示装置は、前記画像処理システムを有することを特徴とする。
【０００８】
また、本発明に係るプログラムは、コンピュータにより読み取り可能なプログラムであって、
フレーム間における所定の画素の移動方向を把握する移動方向把握手段と、
前記移動方向把握手段によって把握された移動方向に基づき、当該移動方向と所定の位置関係にある側のエッジをより強調するように、エッジ強調処理を行うエッジ強調手段としてコンピュータを機能させることを特徴とする。
【０００９】
また、本発明に係る情報記憶媒体は、コンピュータにより読み取り可能な情報記憶媒体であって、上記手段としてコンピュータを機能させるためのプログラムを記憶したことを特徴とする。
【００１０】
本発明によれば、動体の移動方向と所定の位置関係にある側のエッジをより強調することにより、過度のエッジ強調を防止し、適切な画像を表示することができる。
【００１１】
なお、前記所定の位置関係にある側としては、例えば、移動元の側、移動先の側等が該当する。
【００１２】
また、人間の目はエッジ部分を注視するため、動体の移動方向を考慮することにより、人間の目の動きに合わせた適切なエッジ強調を行うことができる。
【００１３】
また、前記画像処理システム、前記画像表示装置、前記プログラムおよび前記情報記憶媒体において、前記エッジ強調手段は、
所定フレームにおける処理対象画素の輝度と、当該処理対象画素の近隣にある近隣画素の輝度との差異を把握する手段と、
把握された差異を示す情報と、前記移動方向を示す情報とに基づき、前記処理対象画素の輝度を補正する手段と、
補正された処理対象画素の輝度と、前記所定フレームの次のフレームにおける前記処理対象画素の輝度とに基づき、前記画像を表示する液晶表示手段の駆動電圧を制御する手段と、
を含んでもよい。
【００１４】
これによれば、空間軸における輝度の変化に加えて時間軸における輝度の変化も考慮して液晶表示手段の駆動電圧を制御することにより、エッジ部分の輝度変化に合わせて適切に液晶駆動することが可能となる。
【００１５】
特に、液晶表示手段を用いて画像を表示する場合、液晶の応答速度が十分でないために、動体の動きによっていわゆるぼけを生じることがあるが、本発明によれば、ぼけを低減し、液晶表示手段を用いて画像を表示する場合でも、適切な画像を表示することができる。
【００１６】
また、前記画像処理システム、前記画像表示装置、前記プログラムおよび前記情報記憶媒体において、前記エッジ強調手段は、
所定フレームにおける処理対象画素の輝度と、前記所定フレームの次のフレームにおける前記処理対象画素の輝度との差分を求める差分処理手段と、
前記所定フレームにおける処理対象画素の輝度と、当該処理対象画素の近隣にある近隣画素の輝度との差異を把握する手段と、
当該差異を示す情報と、前記移動方向を示す情報とに基づき、前記差分を示す差分情報を補正する手段と、
補正された前記差分情報と、前記所定フレームにおける処理対象画素の輝度とに基づき、前記画像を表示する液晶表示手段の駆動電圧を制御する手段と、
を含んでもよい。
【００１７】
これによれば、空間軸における輝度の変化に加えて時間軸における輝度の変化も考慮して差分情報を補正し、当該差分情報に基づいて液晶表示手段の駆動電圧を制御することにより、エッジ部分の輝度変化に合わせて適切に液晶駆動することが可能となる。
【００１８】
特に、差分情報を用いることにより、動体のエッジ部分を把握することができる。例えば、動体のエッジ部分に選択的にエッジ強調を行えば、ぼけをより効果的に低減することができる。
【００１９】
また、本発明に係る画像処理方法は、動画像のエッジ強調処理を行う画像処理手段による画像処理方法において、
所定の画素の移動方向を把握する移動方向把握工程と、
前記移動方向把握工程において把握された移動方向に基づき、当該移動方向と所定の位置関係にある側のエッジをより強調するように、前記エッジ強調処理を行うエッジ強調工程と、
を含むことを特徴とする。
【００２０】
本発明によれば、当該移動方向と所定の位置関係にある側のエッジをより強調することにより、過度のエッジ強調を防止し、適切な画像を表示することができる。
【００２１】
また、本発明に係る画像処理方法は、動画像のエッジ強調処理を行う画像処理手段による画像処理方法において、
所定の画素の移動方向を把握する移動方向把握工程と、
時間軸における輝度変化を把握する輝度変化把握工程と、
前記移動方向把握工程において把握された移動方向に基づき、当該移動方向と所定の位置関係にある側のエッジをより強調するように、前記輝度変化把握工程において把握された輝度変化を示す情報に対してエッジ強調処理を行うエッジ強調工程と、
を含むことを特徴とする。
【００２２】
本発明によれば、当該移動方向と所定の位置関係にある側のエッジをより強調することにより、過度のエッジ強調を防止し、適切な画像を表示することができる。
【００２３】
特に、空間軸における輝度の変化に加えて時間軸における輝度の変化も考慮してエッジ強調処理を行うことにより、ぼけをより効果的に低減することができる。
【００２４】
【発明の実施の形態】
以下、本発明を、画像表示装置の一種である液晶プロジェクタを用いた画像処理システムに適用した場合を例に採り、図面を参照しつつ説明する。なお、以下に示す実施形態は、特許請求の範囲に記載された発明の内容を何ら限定するものではない。また、以下の実施形態に示す構成の全てが、特許請求の範囲に記載された発明の解決手段として必須であるとは限らない。
【００２５】
図１は、画像表示パターンと視線経路を示す模式図である。
【００２６】
液晶プロジェクタは、１フレームごとに画像を更新し、１秒間に数フレーム（例えば、３０フレーム）の画像を投写することにより、動画像を表示する。
【００２７】
ここでは、液晶プロジェクタは、図１に示すように、Ｎフレームにおいて黒色の背景画像１２内のやや左側に白色の動体画像１０を表示し、Ｎ＋１フレームにおいて背景画像１２内のほぼ中央に動体画像１０を表示する。
【００２８】
このように、動体画像１０が左から右に移動している場合、動体画像１０を見ている者は、Ｎフレームにおいて、動体画像１０の左端の中心付近の動体画像１０におけるＡ点を注視し、Ｎ＋１フレームにおいて、動体画像１０の左端の中心付近の動体画像１０におけるＡ’点を注視することになる。
【００２９】
この場合、動体画像１０を見ている者の視線経路は、図１の模式図に示すように、左から右に平行移動するものとなる。
【００３０】
液晶プロジェクタは、Ｎフレームにおいて、Ａ点の画像部分を白色として表示し、Ｎ＋１フレームにおいて、Ａ点の画像部分を黒色として表示する必要がある。
【００３１】
液晶プロジェクタが、液晶の駆動電圧が０に近い場合には白を表示し、液晶の駆動電圧が高い場合には黒を表示するものである場合（ノーマリーホワイト型と呼ばれるものである場合）、ＮフレームからＮ＋１フレームになった際に液晶駆動電圧が一気に高まることになる。
【００３２】
しかし、短時間の間に駆動電圧が変わっても液晶の応答には時間がかかるため、注視していたＡ点はＮ＋１フレームになった時点で白から黒に変わるのではなく白、グレー、黒となだらかに変化するものとなる。
【００３３】
このように、画像がなだらかに変化すると、画像を見ている者は、いわゆるぼけを感じることになる。
【００３４】
液晶（以下「ＬＣＤ」という。）の応答速度やぼけ感の防止を考慮してＬＣＤを駆動する必要がある。
【００３５】
図２は、画像の水平成分のＬＣＤ駆動階調波形を示す模式図である。なお、ここで、ＬＣＤ駆動階調波形とは、ＬＣＤを駆動するための階調情報の変化を示すものである。
【００３６】
例えば、階調補正をしない場合、図１に示すＮフレームの画像では、波形２０のように、画像の左から右に行くと黒から白に変わる部分（Ａ点）で高階調となり、白から黒に変わる部分で低階調となる。同様に、階調補正をしない場合、図１に示すＮ＋１フレームの画像では、波形２２のように、画像の左から右に行くと黒から白に変わる部分（Ａ’点）で高階調となり、白から黒に変わる部分で低階調となる。
【００３７】
また、黒から白に変わる場合、ＬＣＤの輝度も高くなるが、時間軸（時間方向）における輝度の変化のみを考慮して階調補正を行う場合には、前フレームと比べて輝度の変化があった領域に対してより大きく輝度を変化させるように階調情報を強調するため、波形２４のように、変化部分をより強調した形となる。
【００３８】
また、空間軸（空間方向）における輝度の変化のみを考慮して階調補正を行う場合には、エッジ領域に対してより大きく輝度を変化させるように階調情報を強調するため、波形２６のように、エッジ部分の変化をより強調した形となる。このように、エッジ部分の変化をより強調することにより、ぼけ感を低減することができる。
【００３９】
一方、本実施形態の階調補正は、波形２４に対して動体の移動方向に対して左側を強調した形となり、波形２８のようになる。
【００４０】
ここで、ＬＣＤの応答について、視線上のＬＣＤ応答波形を用いて説明する。
【００４１】
図３は、視線上のＬＣＤ応答波形を示す模式図である。
【００４２】
図３に示す例では、図１に示すＡ点のように、白から黒に輝度変化するまでの液晶応答時間を２フレーム時間とし、視線移動速度は一定であり、Ｎ＋１フレームに切り替わった直後には視線はＡ点にあり、その１フレーム時間後に視線はＡ’点にあるものとする。図３は、この１フレーム時間後でのＬＣＤ応答波形を示す。
【００４３】
理想的なＬＣＤ応答の波形、つまり応答時間が０である場合の波形は、波形３２である。Ｎ＋１フレームに切り替わった直後の視線位置Ａを含め、Ａ−Ａ’点間の輝度は、いずれも目標輝度である黒レベルとなっている。
【００４４】
補正しない場合には、波形３０となり、Ａ−Ａ’点間の輝度が目標輝度である黒レベルとなっていない。
【００４５】
また、時間方向の補正のみを行った場合、波形３４のように、Ａ’点の輝度は目標輝度に到達するが、Ａ−Ａ’間のすべてにおいて、輝度は白と黒の中間調であり、応答は十分ではない。
【００４６】
また、空間方向の補正のみを行った場合、波形３６のように、非補正時よりも若干応答性はよいが、改善効果は低い。
【００４７】
これらに対し、本実施形態によれば、波形３８に示すように、ＬＣＤ応答性により輝度変化しない領域であるＡ点に近い部分に対して波形３４よりもさらに補正をかけることにより、応答性を改善し、より理想的な波形３２に近づけることができる。
【００４８】
次に、このような応答性能を得るための液晶プロジェクタ内の画像処理部の機能ブロックについて説明する。
【００４９】
図４は、本実施形態の一例に係る液晶プロジェクタ内の画像処理部の機能ブロック図である。
【００５０】
画像処理部は、１フレーム分の輝度情報を保持するフレームメモリ１１０と、フレーム間における所定の画素の移動方向を把握する移動方向把握部１３０と、移動方向把握部１３０によって把握された移動方向に基づき、当該移動方向の移動元側のエッジをより強調するように、エッジ強調処理を行うエッジ強調部１２０とを含む。
【００５１】
また、エッジ強調部１２０は、所定フレームにおける処理対象画素の輝度と、当該処理対象画素の近隣にある近隣画素の輝度との差異を把握する手段として機能する近隣画素差分処理部１２２と、把握された差異を示す差分情報と、上記の移動方向を示す情報とに基づき、処理対象画素の輝度を補正する輝度補正部１２４と、補正された処理対象画素の輝度と、上記所定フレームの次のフレームにおける上記処理対象画素の輝度とに基づき、ＬＣＤの駆動電圧を制御する駆動制御部１２６とを含む。
【００５２】
ここで、処理対象画素について説明する。
【００５３】
図５は、画像における処理対象画素を示す模式図である。
【００５４】
例えば、図５に示すように、１画像内に均等に１２個の処理対象画素を設定する。
【００５５】
移動方向把握部１３０は、これらの１２個の処理対象画素の移動方向の平均を各画素の移動方向として処理する。なお、移動方向の把握としては、例えば、ブロックパターンマッチング法等を用いることができる。
【００５６】
また、近隣画素差分処理部１２２は、処理対象画素の輝度とその近隣の１つまたは複数の画素の輝度との差分を求め、例えばラプラシアンフィルタ等を用いたフィルタリング処理を行う。
【００５７】
輝度補正部１２４は、移動方向把握部１３０によって把握された移動方向が画像の左から右である場合には、近隣画素差分処理部１２２によって求められた値のうち、右方向の隣接画素差分成分を用いてＮフレームの輝度情報を補正する。一方、移動方向が右から左であった場合には、輝度補正部１２４は、近隣画素差分処理部１２２によって求められた値のうち、左方向の隣接画素差分成分を用いてＮフレームの輝度情報を補正する。
【００５８】
このように、移動方向に基づいて輝度情報の補正を行うことにより、図２および図３に示すように、移動方向の移動元の側のエッジをより強調したエッジ強調を行うことができる。
【００５９】
そして、駆動制御部１２６は、輝度補正部１２４によって補正されたＮフレームにおける処理対象画素の輝度と、Ｎ＋１フレームにおける処理対象画素の輝度とに基づき、ＬＣＤの駆動電圧を制御する。より具体的には、駆動制御部１２６は、Ｎフレームにおける処理対象画素の輝度およびＮ＋１フレームにおける処理対象画素の輝度と、駆動電圧とが対応付けられたルックアップテーブルを用いたり、所定の演算式を用いたりして駆動電圧を求める。なお、駆動制御部１２６は、ガンマ処理機能を併有してもよい。
【００６０】
以上のように、本実施の形態によれば、動体の移動方向と移動元にある側のエッジをより強調することにより、過度のエッジ強調を防止し、適切な画像を表示することができる。
【００６１】
また、人間の目はエッジ部分を注視するため、動体の移動方向を考慮することにより、人間の目の動きに合わせた適切なエッジ強調を行うことができる。
【００６２】
また、本実施形態によれば、空間軸における輝度の変化に加えて時間軸における輝度の変化も考慮してＬＣＤの駆動電圧を制御することにより、エッジ部分の輝度変化に合わせて適切に液晶駆動することが可能となる。
【００６３】
特に、ＬＣＤを用いて画像を表示する場合、ＬＣＤの応答速度が十分でないために、動体の動きによっていわゆるぼけを生じることがあるが、本実施形態によれば、ぼけを低減し、ＬＣＤを用いて画像を表示する場合でも、適切な画像を表示することができる。
【００６４】
次に、液晶プロジェクタ内の画像処理部のハードウェアのブロック図について説明する。
【００６５】
図６は、本実施形態の一例に係る液晶プロジェクタ内の画像処理部のハードウェアのブロック図である。
【００６６】
図６に示す装置では、ＣＰＵ１０００、ＲＯＭ１００２、ＲＡＭ１００４、情報記憶媒体１００６、画像生成ＩＣ１０１０、Ｉ／Ｏ（入出力ポート）１０２０が、システムバス１０１６により相互にデータ送受信可能に接続されている。そして、Ｉ／Ｏ１０２０を介してＰＣ等の機器に接続されている。
【００６７】
図４に示すフレームメモリ１１０の機能は、例えば、ＲＡＭ１００４を用いて実現でき、エッジ強調部１２０の機能は、例えば、ＣＰＵ１０００と画像生成ＩＣ１０１０とＲＡＭ１００４とを用いて実現でき、移動方向把握部１３０の機能は、例えば、ＣＰＵ１０００と画像生成ＩＣ１０１０とを用いて実現できる。
【００６８】
なお、エッジ強調部１２０や移動方向把握部１３０の機能を情報記憶媒体１００６からコンピュータにプログラムを読み取らせて実現することも可能である。
【００６９】
また、情報記憶媒体１００６としては、例えば、ＣＤ−ＲＯＭ、ＤＶＤ−ＲＯＭ、ＲＯＭ、ＲＡＭ等を適用でき、そのプログラムの読み取り方式は接触方式であっても、非接触方式であってもよい。
【００７０】
また、情報記憶媒体１００６に代えて、上述した各機能を実現するためのプログラムを、伝送路を介してホスト装置等からダウンロードすることによって上述した各機能を実現することも可能である。すなわち、上述した各機能を実現するための情報は、搬送波に具現化される（embodied）ものであってもよい。
【００７１】
（変形例）
なお、本発明の適用は上述した実施例に限定されず、各種の変形例に対して適用可能である。
【００７２】
例えば、画像処理の手法は、上述した手法に限定されず、種々の変形が可能であり、例えば、以下の手法を採用できる。
【００７３】
所定フレームにおける処理対象画素の輝度と、次フレームにおける処理対象画素の輝度との差分を求め、所定フレームにおける処理対象画素の輝度と、当該処理対象画素の近隣にある近隣画素の輝度との差異を把握する。
【００７４】
そして、当該差異を示す情報と画素の移動方向を示す情報とに基づき、前記差分を示す差分情報を補正し、補正された差分情報と、所定フレームにおける処理対象画素の輝度とに基づき、ＬＣＤの駆動電圧を制御してもよい。
【００７５】
次に、この手法を実現するための機能ブロックについて説明する。
【００７６】
図７は、本実施形態の他の一例に係る液晶プロジェクタ内の画像処理部の機能ブロック図である。
【００７７】
図７に示す画像処理部は、エッジ強調部１２０がフレーム間差分処理部１２８を含んでおり、フレーム間の輝度の差分を求めることにより時間軸の輝度変化を把握し、当該差分情報に対して近隣画素差分処理部１２２を用いて空間軸の輝度変化（所定フレームにおける処理対象画素の輝度と当該処理対象画素の近隣にある近隣画素の輝度との差異）を把握する。
【００７８】
輝度補正部１２４は、当該差異を示す情報と移動方向把握部１３０からの画素の移動方向を示す情報とに基づき、差分情報を補正する。
【００７９】
そして、駆動制御部１２６は、輝度補正部１２４からの補正された輝度の差分情報と、所定フレームにおける処理対象画素の輝度とに基づき、ＬＣＤの駆動電圧を制御する。
【００８０】
これによれば、空間軸における輝度の変化に加えて時間軸における輝度の変化も考慮して差分情報を補正し、当該差分情報に基づいて液晶表示手段の駆動電圧を制御することにより、エッジ部分の輝度変化に合わせて適切に液晶駆動することが可能となる。
【００８１】
特に、差分情報を用いることにより、より明確にエッジ部分を把握することができ、適切なエッジ強調を行うことができる。
【００８２】
さらに、駆動制御部１２６を、現在のフレームの輝度情報と、次フレームの輝度情報と、空間軸における輝度変化の情報とに基づいてＬＣＤ駆動電圧を制御するように構成してもよい。この場合、駆動制御部１２６は、例えば、現在のフレームの輝度情報、次フレームの輝度情報および空間軸における輝度変化の情報と駆動電圧とが対応付けられた３次元のルックアップテーブルを用いて実現できる。
【００８３】
また、上述した液晶プロジェクタ以外の画像表示装置等の有する画像処理システムにも本発明を適用できる。このような画像表示装置としては、例えば、液晶プロジェクタ、直視型液晶表示装置、液晶ディスプレイ等の液晶表示装置以外にも、有機ＥＬ素子を用いた表示装置、ＤＭＤ（Digital Micromirror Device）を用いたプロジェクタ等の各種の画像表示装置が該当する。なお、ＤＭＤは米国テキサスインスツルメンツ社の商標である。また、プロジェクタは前面投写型のものに限られず、背面投写型のものであってもよい。
【００８４】
なお、上述した液晶プロジェクタの画像処理部の機能は、単体の画像表示装置（例えば、液晶プロジェクタ）で実現してもよいし、複数の処理装置で分散して（例えば、液晶プロジェクタとＰＣ（Personal Computer）とで分散処理）実現してもよい。
【図面の簡単な説明】
【図１】画像表示パターンと視線経路を示す模式図である。
【図２】画像の水平成分のＬＣＤ駆動階調波形を示す模式図である。
【図３】視線上のＬＣＤ応答波形を示す模式図である。
【図４】本実施形態の一例に係る液晶プロジェクタ内の画像処理部の機能ブロック図である。
【図５】画像における処理対象画素を示す模式図である。
【図６】本実施形態の一例に係る液晶プロジェクタ内の画像処理部のハードウェアのブロック図である。
【図７】本実施形態の他の一例に係る液晶プロジェクタ内の画像処理部の機能ブロック図である。
【符号の説明】
１１０  フレームメモリ
１２０  エッジ強調部
１２２  近隣画素差分処理部
１２４  輝度補正部
１２６  駆動制御部
１２８  フレーム間差分処理部
１３０  移動方向把握部
１００６  情報記憶媒体
【図１】
0003888425.tif 000002
【図２】
0003888425.tif 000003
【図３】
0003888425.tif 000004
【図４】
0003888425.tif 000005
【図５】
0003888425.tif 000006
【図６】
0003888425.tif 000007
【図７】
0003888425.tif 000008